(57)【要約】【課題】自動運転による車（乗用車、商用車、トラックを含む１輪以上の動力を持つ車）、または無輪または1輪以上の浮揚車が、自動運転時に給油、ガス充てん、充電の必要な状況を判断し、人が介在せずに給油地や充電地を選択する機能を実現する【解決手段】燃料残量または電池残量を確認し、残りの走行距離可能距離を演算、または走行距離演算装置から走行可能距離情報を取得し、目的地の方向かつ目的地への迂回距離を最短にするなど任意の条件下において経路を地図情報、GPS情報から導き出し、自動運転装置、または自動運転プログラム、またはナビゲーションシステムに受け渡す。また給油、ガス充てん、充電可能状態であるかどうかを、給油、ガス充てん、充電のそれぞれの施設からネットワーク経由で情報を与えることで、給油、ガス充てん、充電不能な施設を選択しないようにすることで、自動運転時の燃料、充電量不足による走行不能状態を回避する。【選択図】図１
2019070602.tif 000002
【特許請求の範囲】
【請求項１】
高度自動運転または完全自動運転において、燃料残量、または電池残量から走行可能距離を演算、または走行距離演算装置から走行可能距離情報を取得し、走行可能距離内で任意の給油地、又はガス充てん地、又は充電地を選択し、自動運転装置又は自動運転コンピュータ装置に対し、行き先変更を指示する自動選択・判断プログラム、又は同プログラムを持つ装置、又は同プログラムを格納するメディア
【請求項２】
給油、又はガス充てん、又は充電を必要とする高度自動運転、または完全自動運転車に対して、供給可能な場所をはじめとする給油、又はガス充てん、又は充電に関する情報を発信する機能を持つ情報発信装置、又は同プログラムを持つ装置、又は同プログラムを格納するメディア
【請求項３】
給油、又はガス充てん、又は充電を必要とする高度自動運転、又は完全自動運転車に対して、燃料、充電量が、任意の一定以下になった場合かつ搭乗者がいる場合に、搭乗者に給油、又はガス充てん、又は充電が必要であることを知らせる、又は搭乗者に非自動運転への切り替え可否を確認し、可能な場合は、自動運転装置又は自動運転コンピュータ装置に対し、自動運転解除を指示する指示機能を有する装置または、又は同プログラムを持つ装置、又は同プログラムを格納するメディア
【発明の詳細な説明】
【技術分野】
【０００１】
本発明は、高度自動運転または完全自動運転における給油、またはガス充てん、または充電必要時の給油地、またはガス充てん地、または充電地の自動選択を実現する自動運転システム、自動運転人工知能、自動運転プログラムに適用して有効な技術に関する
【背景技術】
【０００２】
現在の車の自動運転や従来の車の給油、ガス充てん、充電必要時の給油、ガス充てん地、充電地の選択は、人の判断によってなされており、自動運転が実現されても、給油・充電に対する意思決定は不可能であった。高度自動運転または完全自動運転の実現の為には、人が乗車しない場合つまりは無人運転、あるいは乗車しても運転を行わない場合における給油、ガス充てん、充電に対処する必要があるが、このような解決方法は存在しなかった。
【発明の概要】
【発明が解決しようとする課題】
【０００３】
高度自動運転または完全自動運転による車（乗用車、商用車、トラックを含む１輪以上の動力を持つ車）、または無輪または1輪以上の浮揚車が、自動運転時に人の介在無しに給油またはガス充てん、または充電が必要な状況を判断し、どの給油地、またはガス充てん地、または充電地が、任意の条件を満たし、かつ目的地への最適な経路かを判断し、自動運転装置、または自動運転プログラムに指示を出すことを実現する。給油地、ガス充てん地、充電地は、それぞれガソリンスタンド、水素・プロパンガス等のガススタンド、充電スタンド等を含む。
【課題を解決するための手段】
【０００４】
本願の発明の概略を説明すれば、以下のとおりである。すなわち本発明は、本発明は、高度自動運転（レベル4）から完全自動運転（レベル５）の人が運転に介在しないでも自走可能な自動運転技術において、無人運転や人による運転操作がないときに燃料不足または、充電量不足（蓄電池における充電容量不足時）になった場合、または任意に設定した残量以下になった場合に、目的地から給油地、ガス充てん地または充電地を一時的な目的地（経由地）になるように自動運転装置（プログラム等）または自動運転装置が使用するナビゲーションシステムに指示を出すことにある。
【０００５】
燃料残量または電池残量から、残りの走行距離可能距離を演算し、または走行距離演算装置から走行可能距離情報を取得し、給油、またはガス充てん、または充電の契約対象など任意の条件を満たしつつ目的地の方向かつ目的地への迂回距離を最短にする経路を地図情報且つGPSなどの位置情報から導き出し、自動運転装置に受け渡す。  充電地は、充電施設や道路に埋め込んだ給電方法などを含む。
【図面の簡単な説明】
【０００６】
【図１】高度自動運転または完全自動運転による車の給油、ガス供給、充電判断の概要フロー図
【図２】高度自動運転または完全自動運転による車の給油、ガス供給、充電判断の詳細フロー図
【発明を実施するための形態】
【０００７】
以下、本発明の実施の形態を図面に基づいて詳細に説明する。ただし、本発明は多くの異なる態様で実施することが可能であり、本実施の形態の記載内容に限定して解釈すべきではない。なお、実施の形態の全体を通して同じ要素には同じ番号を付するものとする。
【０００８】
以下の実施の形態では、主に方法またはシステムについて説明するが、当業者であれば明らかなとおり、本発明は、自動運転装置または自動運転コンピュータ装置で使用可能なプログラムとしても実施できる。したがって、本発明は、ハードウェアとしての実施形態、ソフトウェアとしての実施形態またはソフトウェアとハードウェアとの組合せの実施形態をとることができる。プログラムは、ハードディスク、ＣＤ−ＲＯＭ、光記憶装置または磁気記憶装置、半導体記憶装置等の任意のコンピュータ可読媒体に記録できる。
【０００９】
また以下の実施の形態では、一般的な自動車用コンピュータ、同マイコン、コンピュータシステムや専用半導体を用いることができる。実施の形態で用いることができる自動運転装置、自動運転コンピュータは、中央演算処理装置（ＣＰＵ）、主記憶装置（メインメモリ：ＲＡＭ）、不揮発性記憶装置（ＲＯＭ）、コプロセッサ、画像アクセラレータ、キャッシュメモリ、入出力制御装置（Ｉ／Ｏ）等、一般的に自動運転装置または、コンピュータシステムに備えられるハードウェア資源と同等又は一部を備える。また、ハードディスク装置等の外部記憶装置、インターネット等のネットワークに接続可能な通信手段を備えることができる。自動運転装置、または自動運転コンピュータには、自動運転専用システム、パーソナルコンピュータ、ワークステーション、メインフレームコンピュータ等各種のコンピュータやタブレットコンピュータ、スマートフォン等各種携帯情報端末が含まれる。
【００１０】
本発明は、高度自動運転または完全自動運転による車（乗用車、商用車、トラックを含む１輪以上の動力を持つ車）、または無輪または1輪以上の浮揚車両）が、自動運転時に人の介在無しに給油、ガス充てん、充電が必要な状況を判断し、どの給油地、ガス充てん地または充電地が、任意の条件を満たし、かつ目的地への最適な経路かを判断し、自動運転装置、または自動運転プログラムに指示を出すことを実現することにある
【００１１】
図１は、本発明の実施の形態である自動運転装置の機能である、給油地、ガス充てん地、充電地の選択機能の一例を示した概念図である。図１の残燃料・充電残量取得部（００１）、位置情報・目的地情報取得部（００２）、地図情報取得・高低差情報取得部（００３）、任意情報取得・条件確認部（００４）、給油地・ガス充てん地・充電地決定部（００５）、自動運転装置、ナビゲーションシステム指示部（０００６）を含む。
【００１２】
走行距離・時間・燃料残量・充電残量取得部（００１）は、走行距離・時間と燃料計・電池残量計算回路等から距離・時間当たりの使用量（燃費または電費とする）および燃料（または電池）残量を取得、または走行距離、時間、使用燃料（また電力消費量）から計算し距離・時間当たりの使用量および残量を求める。また地図情報取得・高低差情報取得部（００３）から地図、高低差情報が取得できる場合は、上り、下り等の条件毎の燃費（電費）を取得または計算し求める。位置情報・目的地情報取得部（００２）は、ＧＰＳなどの位置測定装置から車の位置を取得する。また目的地は、自動運転装置またはカーナビゲーション等に設定した目的地情報を取得する。地図情報取得・高低差情報取得部（００３）は、インターネットまたは、電子化した地図、ナビゲーションシステム等から、給油可能地候補、充電可能地候補の地図情報、現在の目的地までのルート情報を取得する。また地図、ナビゲーションシステム等に地図の高低差情報を持つ場合は、地図情報に加えて高低差情報を取得する。これらの取得した情報を全て、給油地・ガス充てん地・充電地決定部（００５）に受け渡す。
【００１３】
任意情報取得・条件確認部（００４）は、車の所有者等による条件を取得・確認する。（１）給油地、ガス充てん地、充電地の選択肢として任意の燃料供給元（石油会社、ガス会社等）や充電用電気供給元（受電設備供給会社等）、選択無しなど既に設定済みであるか、またはリアルタイムに取得する。（２）優先順位として、給油、ガス充てん、充電の選択肢の会社の選択を優先するか、燃油料金・ガス料金・電気料金の額が取得できる場合は、金額を優先するか、または給油地、ガス充てん地、充電地が目的地までのルート上にない場合の迂回距離を優先する等の任意の条件を給油地、ガス充てん地、充電地決定部（００５）に受け渡す。
【００１４】
図２は、給油・ガス充てん地・充電地決定部を中心とした情報の流れと、その情報を元に判断し、給油・ガス充てん地・充電地を決定する流れを記述である。
【００１５】
給油地・ガス充てん地・充電地決定部（００５）は、走行距離・時間・燃料残料・充電残量取得部（００１）から現在までの条件毎の燃費（電費）を取得する。位置情報・目的地情報取得部（００１２）からは、現在地と目的地を取得する。地図情報取得・高低差情報取得部（００３）からは、給油地、ガス充てん地、充電地候補、目的地ルート、高低差情報を取得する。任意情報取得・条件確認部（００４）からは、燃料供給元、電気供給元、選択無の情報、および燃料、電気料金取得供給会社優先、金額優先、迂回距離優先、その他任意条件優先等の優先順位情報を取得する。
【００１６】
走行済み経路（高低差）燃費（電費）から燃料または充電残量からの走行可能距離演算を求める。  走行済み経路からの距離情報、カーブ、高低差の両方又は一方と燃料(充電量）の単位時間当たりの増減（電気の場合は、回生ブレーキによる充電情報を加える）から距離、カーブ、登坂の傾斜、下り坂の傾斜、平地走行時の単位時間当たりの燃費（電費）を求める、あるいは演算回路他から取得した燃費（電費）と、現在の燃料（充電）残量と、目的地への経路情報（距離、登坂、下り坂、カーブ、平地等）から走行可能な最小距離（少なくとも走行可能な最小距離）を算出する。走行済み経路に一致するカーブ、傾斜による走行データがない場合は、近い値のうちのより条件の厳しい状況における燃費（電費）を使用し、走行可能な最小距離を求める。  前述の燃費（電費）を用い目的地到達後の燃料（充電量）残量予測値が任意に設定した値よりも多い場合は、給油（充電）を不要と判断する。  但し、残量は、目的地から燃料供給、充電可能地までの距離までの走行可能な残量以上とする。目的地到達時に燃料残量、充電量残量予測値が任意に設定した値よりも少ない場合、途中給油、ガス充てん、充電が必要と判断する。
【００１７】
給油、ガス充てん、充電が必要と判断した場合かつ搭乗者がいる場合かつ任意に搭乗者確認が必要である旨を設定する場合は、搭乗者に給油、ガス充てん、充電が必要である通知を行う。また給油、ガス充てん、充電が必要と判断した場合かつ搭乗者がいる場合かつ任意に搭乗者に給油地、ガス充てん地、充電地の選択権を与える設定をする場合は、非自動運転切り替えを行うかどうかの可否を搭乗者に確認する。搭乗者が可能と回答した場合は、非自動運転に切り替える。  ただし、運転免許証の有無などの確認や事前設定等は別途設定が必要となる。
【００１８】
給油地、ガス充てん地、充電地が現在給油、ガス充てん・充電可能か否かの情報を提供可能な場合は、現在の場所から目的地方向の給油、ガス充てん、充電地に対して現在給油、ガス充てん、充電可能か否かの情報を要求し、結果を取得する。この情報を取得した場合は、給油、ガス充てん、充電地可能な給油地、ガス充てん地、充電地のうち任意情報取得・条件確認部からの任意条件に合致する条件にあう候補を選択する。取得できない場合は、任意情報取得・条件確認部からの任意条件に合致する条件にあう候補を選択する。
【００１９】
選択した給油地、ガス充てん地、充電地を自動運転装置に指示、または自動運転装置の使用するカーナビゲーションに対して一時目的地として入力、設定する。
【図１】
2019070602.tif 000003
【図２】
2019070602.tif 000004